(57)【要約】【課題】ズーミングが適用されるコンテンツ全体もしくはオブジェクト等について、ズーム操作／挙動に応じたアクセス権限を適切に付与すること。【解決手段】アクセス権限情報を有するサーバ１は、閲覧者とコンテンツ全体もしくはオブジェクトとの関係に応じて、閲覧者のズーム操作内容に従って、コンテンツ全体もしくはオブジェクトの表示形態を連続的に変化させて表示部に表示させるクライアント端末Ｃにおけるズームの程度の上限もしくは下限もしくはその両者を制御する。【選択図】図７
2008234228.tif 000002
【特許請求の範囲】
【請求項１】
各種オブジェクトから構成されているコンテンツ全体もしくは前記各オブジェクトに対する閲覧者のズーム操作内容に従って、前記コンテンツ全体もしくは前記オブジェクトの表示形態を連続的に変化させて表示部に表示させるクライアントとアクセス権限情報を有するサーバを含むアクセス権限付与システムであって、
前記サーバは、閲覧者の識別情報と前記コンテンツ全体もしくは前記オブジェクトとの関係を記憶している記憶手段を備え、取得した閲覧者の識別情報をキーとして閲覧者と前記コンテンツ全体もしくは前記オブジェクトとの関係を前記記憶手段から抽出し、その抽出した閲覧者と前記コンテンツ全体もしくは前記オブジェクトとの関係に応じて、前記クライアントにおけるズームの程度の上限もしくは下限もしくはその両者を制御することを特徴とするアクセス権限付与システム。
【請求項２】
前記クライアントにおいて、閲覧者が、予め定められたズームの程度の上限もしくは下限の範囲を超えてズーム操作をした場合、それ以上の操作が許可されていない旨の警告を報知することを特徴とする請求項１記載のアクセス権限付与システム。
【請求項３】
前記クライアントにおいて、閲覧者が、予め定められたズームの程度の上限もしくは下限の範囲を超えてズーム操作をした場合、閲覧者に対して推奨アクションを報知することを特徴とする請求項１または２記載のアクセス権限付与システム。
【請求項４】
前記クライアントにおいて、閲覧者が、予め定められたズームの程度の上限もしくは下限の範囲を超えてズーム操作をした場合、当該コンテンツをズームアウトして表示することを特徴とする請求項１から３のいずれか１項に記載のアクセス権限付与システム。
【請求項５】
各種オブジェクトから構成されているコンテンツ全体もしくは前記各オブジェクトに対する閲覧者のズーム操作内容に従って、前記コンテンツ全体もしくは前記オブジェクトの表示形態を連続的に変化させて表示部に表示させるコンテンツ閲覧方法において、
閲覧者の識別情報と前記コンテンツ全体もしくは前記オブジェクトとの関係を記憶している記憶手段を備えるサーバが、取得した閲覧者の識別情報をキーとして閲覧者と前記コンテンツ全体もしくは前記オブジェクトとの関係を記憶手段から抽出し、その抽出した閲覧者と前記コンテンツ全体もしくは前記オブジェクトとの関係に応じて、ズームの程度の上限もしくは下限もしくはその両者を制御することを特徴とするアクセス方法。
【請求項６】
閲覧者が、予め定められたズームの程度の上限もしくは下限の範囲を超えてズーム操作をした場合、それ以上の操作が許可されていない旨の警告を報知することを特徴とする請求項５記載のアクセス方法。
【請求項７】
閲覧者が、予め定められたズームの程度の上限もしくは下限の範囲を超えてズーム操作をした場合、閲覧者に対して推奨アクションを報知することを特徴とする請求項５または６記載のアクセス方法。
【請求項８】
閲覧者が、予め定められたズームの程度の上限もしくは下限の範囲を超えてズーム操作をした場合、当該コンテンツをズームアウトして表示することを特徴とする請求項５から７のいずれか１項に記載のアクセス方法。
【発明の詳細な説明】
【技術分野】
【０００１】
本発明は、ズーミングが適用されるコンテンツ全体もしくはオブジェクト等についての閲覧権限の技術に関するものである。
【背景技術】
【０００２】
従来、例えば、重要ファイルの閲覧を禁止するために、端末のユーザのレベルに応じたコンテンツへのアクセス制限を設けたシステムがあった。
【０００３】
ここで、コンテンツの中から選択した個々のオブジェクトを表示するに際し、コンテンツの表示情報の初期画面では小さなサイズもしくは少ない情報のみ表示し、ズーム率が大きくなる方向にズーミングするズームイン操作に伴って大きなサイズもしくは多くの情報を次第に表示に表示するようにし、ズーム率が規定値に達した時点で真のコンテンツに切り替わるようにズーム操作／挙動を記述することで、コンテンツの縮小画像をクリックしなくとも真のコンテンツへと飛ぶことができる技術が開示されている（例えば、特許文献１参照）。
【特許文献１】特開２００７−３４９６０号公報
【発明の開示】
【発明が解決しようとする課題】
【０００４】
しかしながら、従来技術の閲覧制限手法では、ズーミングが適用されるコンテンツ全体もしくはオブジェクト等について、ズーム操作／挙動に応じたアクセス権限を適切に付与することができない。
【０００５】
そこで、本発明では、ズーミングが適用されるコンテンツ全体もしくはオブジェクト等について、ズーム操作／挙動に応じたアクセス権限を適切に付与することを目的とする。
【課題を解決するための手段】
【０００６】
請求項１記載の発明は、各種オブジェクトから構成されているコンテンツ全体もしくは各オブジェクトに対する閲覧者のズーム操作内容に従って、コンテンツ全体もしくはオブジェクトの表示形態を連続的に変化させて表示部に表示させるクライアントとアクセス権限情報を有するサーバを含むアクセス権限付与システムであって、サーバは、閲覧者の識別情報と前記コンテンツ全体もしくはオブジェクトとの関係を記憶している記憶手段を備え、取得した閲覧者の識別情報をキーとして閲覧者と前記コンテンツ全体もしくはオブジェクトとの関係を記憶手段から抽出し、その抽出した閲覧者とコンテンツ全体もしくはオブジェクトとの関係に応じて、クライアントにおけるズームの程度の上限もしくは下限もしくはその両者を制御することを特徴とするアクセス権限付与システムである。
【０００７】
請求項２記載の発明は、請求項１記載のアクセス権限付与システムにおいて、クライアントにおいて、閲覧者が、予め定められたズームの程度の上限もしくは下限の範囲を超えてズーム操作をした場合、それ以上の操作が許可されていない旨の警告を報知することを特徴とする。
【０００８】
請求項３記載の発明は、請求項１または２記載のアクセス権限付与システムにおいて、クライアントにおいて、閲覧者が、予め定められたズームの程度の上限もしくは下限の範囲を超えてズーム操作をした場合、閲覧者に対して推奨アクションを報知することを特徴とする。
【０００９】
請求項４記載の発明は、請求項１から３のいずれか１項に記載のアクセス権限付与システムにおいて、クライアントにおいて、閲覧者が、予め定められたズームの程度の上限もしくは下限の範囲を超えてズーム操作をした場合、当該コンテンツをズームアウトして表示することを特徴とする。
【００１０】
請求項５記載の発明は、各種オブジェクトから構成されているコンテンツ全体もしくは各オブジェクトに対する閲覧者のズーム操作内容に従って、コンテンツ全体もしくはオブジェクトの表示形態を連続的に変化させて表示部に表示させるコンテンツ閲覧方法において、閲覧者の識別情報とコンテンツ全体もしくはオブジェクトとの関係を記憶している記憶手段を備えるサーバが、取得した閲覧者の識別情報をキーとして閲覧者とコンテンツ全体もしくはオブジェクトとの関係を記憶手段から抽出し、その抽出した閲覧者とコンテンツ全体もしくはオブジェクトとの関係に応じて、ズームの程度の上限もしくは下限もしくはその両者を制御することを特徴とするアクセス方法である。
【００１１】
請求項６記載の発明は、請求項５記載のアクセス方法において、閲覧者が、予め定められたズームの程度の上限もしくは下限の範囲を超えてズーム操作をした場合、それ以上の操作が許可されていない旨の警告を報知することを特徴とする。
【００１２】
請求項７記載の発明は、請求項５または６記載のアクセス方法において、閲覧者が、予め定められたズームの程度の上限もしくは下限の範囲を超えてズーム操作をした場合、閲覧者に対して推奨アクションを報知することを特徴とする。
【００１３】
請求項８記載の発明は、請求項５から７のいずれか１項に記載のアクセス方法において、閲覧者が、予め定められたズームの程度の上限もしくは下限の範囲を超えてズーム操作をした場合、当該コンテンツをズームアウトして表示することを特徴とする。
【発明の効果】
【００１４】
本発明によれば、ズーミングが適用されるコンテンツ全体もしくはオブジェクト等について、ズーム操作／挙動に応じたアクセス権限を適切に付与することができる。
【発明を実施するための最良の形態】
【００１５】
以下に、本発明の実施形態のアクセス権限付与システムについて説明する。ここでは、Ｗｅｂ環境でのコンテンツ閲覧を前提とするが、Ｗｅｂ環境に限らず、１つの情報処理装置、システムとして閉じた環境であってもよい。また、アクセス対象はコンテンツ全体に限定されなくオブジェクト等であってもよい。
【００１６】
Ｗｅｂ環境におけるコンテンツに対し、ズーミングを利用して詳細度の変化だけでなく、表示メディアの遷移を実現できる「ズーミング・クロスメディア」を適用するようにした。
【００１７】
「ズーミング・クロスメディア」は、ズーム操作を、スクロール、アンカークリックに対する第３の操作と位置づけることにある。スクロールは同一画面内で注視点を連続的に移動させ、アンカークリックは異なる画面に飛ぶのに対し、ズーミング・クロスメディアは同一画面内で詳細度変化や表示メディア遷移を連続的に実現する。表示メディア遷移とは、相互に関連づけられた互いに異なるメディアオブジェクトに関し、ズーム操作に従って、一方から他方へ表示を連続的に変化させたり、一方を表示した状態に加えてもう一方を連続的に拡大しつつ追加表示させたり（もしくはその逆）することである。動画像に関連付けられた字幕テキストを表示するに際し、動画像のみの表示から、ズーミング操作と共に次第に字幕テキストに移り変わっていく、というようなものがその一例である。
【００１８】
このようなズーミング操作／挙動は、ズーム対象、ズーム率、ズーム伝播の３つの基本概念を基にモデル化されている。
１．ズーム対象
「ズーム対象」はズーム操作の対象となる単位で、コンテンツを構成するテキスト、静止画像、動画像、音声の各「メディアオブジェクト」から構成される。閲覧者は所望のズーム対象を指定してズーム操作を行う。
２．ズーム率
「ズーム率」はズーム対象に対して一意的に定まる値で、ズームの程度を表す0.0以上1.0以下の連続値である。ズーム率が大きくなる方向にズーミングすることをズームイン、小さくなる方向にズーミングすることをズームアウトという。各メディアオブジェクトに対し、ズーム率は具体的な属性（フォントサイズ、画像サイズ、動画像や音声の再生区間等）に対応付けられる。
３．ズーム伝播
「ズーム伝播」はあるズーム対象をズーミングすると他のズーム対象も連動してズーミングすることである。ズーム伝播では、伝播元ズーム対象のズーム率から、予め定められた「ズーム率関係」を基に伝播先のズーム率を計算し、伝播先ズーム対象の表示の状態を制御する。ズーム率関係は伝播元と伝播先のズーム率の変化の比率である。
【００１９】
Ｗｅｂ環境でのコンテンツのオブジェクトＡに対してズームイン操作を行った場合、オブジェクトＡの下位のオブジェクトＢが新たに表示されるとともに、新たなオブジェクトＣがオブジェクトＢの下部分に表示される。Ｗｅｂ環境でのコンテンツのオブジェクトＡに対してズームイン操作を行った場合、オブジェクトＡ，Ｂのフォントサイズが拡大される。加えて、Ｗｅｂ環境でのコンテンツのオブジェクトＡに対してズームイン操作を行った場合、オブジェクトＣである静止画像の詳細度が高くなる（画像サイズが拡大する）。さらに、オブジェクトＣは、あるサイズにまで拡大すると、動画像（と音声）の再生を開始する。
【００２０】
このようなＷｅｂ環境でのコンテンツ閲覧における画面遷移は、以下に示すような表示記述（構造記述及びズーミング記述）で記述されている。なお、構造記述及びズーミング記述は、ＸＭＬ（Extensible Markup Language）ベースのズーミング記述言語（ＺＤＬ：Zooming Description Language ）で記述されている。
【００２１】
１．メディアオブジェクトの指定
テキスト、静止画像、動画像、音声のそれぞれについて、<text/>，<img/>，<video/>，<audio/>のタグで表す。このタグにより、具体的なテキストの内容やソースファイルを指定する。
２．ズーム率の範囲
<div/>タグ内のzoomFactor属性にて、ズーム率の最大値、最小値を指定し、連続パラメータとしてのズーム率の範囲を表す。
３．メディアオブジェクトの表示
テキスト、静止画像、動画像、音声のそれぞれについて、<dispText>，<dispImg>，<dispVideo>，<dispAudio>タグで表す。常に<div/>タグに内包され、<div/>タグで指定された範囲のズーム率における各メディアオブジェクトの表示の状態を表す。
４．ズーム対象
ズーム対象を<zoomObject/>タグで記述する。初期ズーム率やズーム伝播先のズーム対象、ズーム率関係もタグ内の属性で記述する。<div/>もしくは他の<zoomObject/>のいずれかを必ず内包する。
【００２２】
次に、ズーム率関係がマイナスの値の場合のズームの伝播の例について説明する。Ｗｅｂ環境でのコンテンツのオブジェクトＢに対してズームイン操作を行った場合、オブジェクトＢのフォントサイズが拡大されているが、オブジェクトＣの表示サイズは縮小する。
【００２３】
以上が、Ｗｅｂ環境でのコンテンツ閲覧における画面遷移の概要である。このような関係を簡単な具体例で表現したものが図１である。図１の例では、Ａ，Ｂ，Ｃがズーム対象で括弧内は初期状態のズーム率を表す。矢印はズームの伝播関係を表し、そのそばに付された値はズーム率関係である。ＡＢのズーム率関係は0.5なので、Ａ→Ｂとズーム伝播する際、Ａをズームインしてズーム率が0.0→0.8と変化すると、Ｂのズーム率が0.0→0.4と変化する。ＢとＣは相互にズーム伝播するが変化の比率がマイナス（-1.0）なので、一方をズームインすると他方はズームアウトする。例えば、初期状態はＣ（動画像）のみ表示で、Ｂ（テキスト＋音声）をズームインして拡大していくと、Ｃ（動画像）は次第に縮小する。この例のように、ズーム伝播を導入することで、表示メディアの遷移が容易に実現できるのが本モデリングの特徴である。
【００２４】
本実施の形態におけるクライアント端末Ｃは、Ｗｅｂ環境におけるコンテンツとして検索エンジン（例えば、ロボット検索エンジン）によるＷｅｂページの検索結果一覧を適用し、このＷｅｂページの検索結果一覧をズーミング記述言語（ＺＤＬ）の形式で出力することができる。
【００２５】
ここで、コンテンツであるＷｅｂページとは、Ｗｅｂブラウザに一度に表示されるデータのまとまりで、テキストデータやＨＴＭＬ（あるいは、ＣＳＳ（Cascading Style Sheet），ＸＭＬなど）によるレイアウト情報、文書中に埋め込まれた画像や音声、動画などから構成されるものである。
【００２６】
図２は、本実施の形態におけるアクセス権限付与システムの概略構成図である。本システムは、図２に示すように、サーバコンピュータ（以下、サーバという）１にインターネットであるネットワークＮを介して端末装置であるクライアントコンピュータ（以下、クライアント端末という）Ｃが複数台接続されたシステムを想定する。なお、このようなネットワーク通信を伴うクライアント・サーバ方式のみに本発明は限定されないことは上述したとおりである。
【００２７】
サーバ１は、概略的には、インターネットであるネットワークＮ上の一般的なＷｅｂページを対象にキーワードに基づくＷｅｂページ検索を行い、ズーミング記述言語（ＺＤＬ）の形式でＷｅｂページの検索結果一覧を出力するものである。
【００２８】
クライアント端末Ｃは、一般的なパーソナルコンピュータ等であり、Ｗｅｂブラウザを用いることによりサーバ１とのデータ送受信が可能になっている。このクライアント端末Ｃは、閲覧者からのＷｅｂページのキーワード検索要求を受け付けてサーバ１に出力するとともに、サーバ１においてズーミング記述言語（ＺＤＬ）の形式で出力された閲覧者に対するＷｅｂページの検索結果一覧を解釈して表示する。すなわち、クライアント端末Ｃは、コンテンツ処理装置であるサーバ１に対する入出力デバイスである。
【００２９】
図３は、サーバ１の構成を示すブロック図である。ＣＰＵ（Central Processing Unit）２と、ＲＯＭ（Read Only Memory）３と、ＲＡＭ（Random Access Memory）４と、ＨＤＤ（Hard Disk Drive）５と、ネットワークインタフェース６と、キーボード７やマウス８等の入力部と、ディスプレイ９とから構成され、これらの間のデータ通信をバスコントローラが調停して動作している。
【００３０】
ＨＤＤ５には、図５、図６、図２０等に示すユーザごとのアクセス権のテーブルや、図４に示すようなユーザ属性のテーブルや、図１０、図１４、図１７に示すコンテンツ全体もしくはオブジェクト等についてのアクセス料のテーブルや、図１０、図１４、図１７に示すユーザごとの支払い料金のテーブルが格納されている。ユーザのアクセス権のテーブルには、例えば、ユーザの識別情報とそのユーザの識別情報と対応付けたコンテンツ全体もしくはオブジェクト等についてのアクセスの許否情報が格納されている。ユーザ属性のテーブルには、例えば、ユーザの識別情報とそのユーザの識別情報と対応付けたユーザの属性情報が格納されている。アクセス料のテーブルには、例えば、コンテンツ全体もしくはオブジェクト等の識別情報とそのコンテンツ全体もしくはオブジェクト等の識別情報と対応付けたアクセスするために必要な料金の情報が格納されている。ユーザごとの支払い料金のテーブルには、例えば、ユーザの識別情報とそのユーザの識別情報と対応付けたユーザが支払い済みの料金の情報が格納されている。
【００３１】
ここで、閲覧者の識別情報とコンテンツ全体もしくはオブジェクトとの関係とは、アクセスの許否が所定の条件を満たすことが要件とされていない場合は、直接的にアクセス可能か否かを示すものであり、一方、アクセスの許否が所定の条件を満たすことが要件とされている場合は、どのような条件を満たすときにアクセス可能であるか、あるいはアクセス不能であるかを示すものである。具体的には、アクセスの許否が所定の条件を満たすことが要件とされていない場合は、図５、図６、図２０等に示すユーザごとのアクセス権をいい、一方、アクセスの許否が所定の条件を満たすことが要件とされている場合は、図４に示すようなユーザ属性が所定の属性であること等や、図１０、図１４、図１７に示すアクセス料が所定の値以上であること等の所定の条件が設定されたときに、ユーザの識別情報と対応付けたユーザの属性情報やユーザの識別情報と対応付けたユーザが支払い済みの料金の情報が条件を満たしてアクセス可能であるか、あるいは条件を満たしていなくアクセス不能であるかを示すものである。
【００３２】
クライアント端末Ｃからズーミング操作によりコンテンツ全体もしくはオブジェクト等についてアクセス要求が、ユーザの識別情報を伴って発行されると、サーバ１は、アクセス要求とともに受け付けたユーザの識別情報をキーとして必要に応じて上記の各テーブルを参照してアクセス許否を決定する。具体的には、アクセスの許否が所定の条件を満たすことが要件とされていない場合は、図５、図６、図２０等に示すユーザごとのアクセス権のテーブルを参照してアクセス許否を決定する。一方、アクセスの許否が所定の条件を満たすことが要件とされている場合は、図４に示すようなユーザ属性のテーブルや、図１０、図１４、図１７に示すコンテンツ全体もしくはオブジェクト等についてのアクセス料のテーブルや、図１０、図１４、図１７に示すユーザごとの支払い料金のテーブルを参照して、図４に示すようなユーザ属性が所定の属性であること等や、図１０、図１４、図１７に示すアクセス料が所定の値以上であること等の所定の条件について、ユーザの識別情報と対応付けたユーザの属性情報やユーザの識別情報と対応付けたユーザが支払い済みの料金の情報が条件を満たしてアクセス可能であるか、あるいは条件を満たしていなくアクセス不能であるかを判断してアクセス許否を決定する。
【００３３】
クライアント端末Ｃ側においては、閲覧者がＷｅｂブラウザ上でキーワード検索を開始すると、同時にズーミング記述言語（ＺＤＬ）を解釈・表示するＺＤＬビューワが起動される。そして、クライアント端末Ｃで入力された検索要求はサーバ１に送信される。コンテンツ処理装置であるサーバ１側では、クライアント端末Ｃで入力された検索要求を受け付けると、キーワードに基づくデータベース検索が実行される。表示コード生成部では、得られた検索結果のＷｅｂページ群を予め定めた優先順位に基づいて順位付けした後、各Ｗｅｂページからズーム対象となるオブジェクトを選択し、Ｗｅｂページの検索結果一覧をズーミング記述言語（ＺＤＬ）形式で生成する。生成されたズーミング記述言語（ＺＤＬ）形式のＷｅｂページの検索結果一覧はコンテンツ処理装置であるサーバ１からクライアント端末Ｃに送信され、ＺＤＬビューワ上に表示される。閲覧者は表示されたＷｅｂページの検索結果一覧に対して、適宜ズーミング操作を行うことになる。
【００３４】
以下では具体的なアクセス権限に基づいた動作を説明する。
まず、図６に示すようにユーザのアクセス権が付与されている場合について説明する。
【００３５】
ユーザＡのときの画面遷移を図７に示す。まず、文書タイトルはアクセスが許可されているのでタイトル一覧が閲覧可能である。そして、３００文字までの本文とサムネイル画像もアクセスが許可されているのでタイトル一覧からズームイン操作により３００文字までの本文とサムネイル画像の一覧が閲覧可能である。さらに、文書全体はアクセスが許可されていないので、３００文字までの本文とサムネイル画像の一覧からズームイン操作により文書全体を閲覧しようとするとアクセス不許可の旨が報知される。報知は警告文、警告音声等であってよい。なお、ズームアウト操作により３００文字までの本文とサムネイル画像の一覧、タイトル一覧へ戻ることもできる。
【００３６】
ユーザＢのときの画面遷移を図８に示す。まず、文書タイトルはアクセスが許可されているのでタイトル一覧が閲覧可能である。そして、３００文字までの本文とサムネイル画像もアクセスが許可されているのでタイトル一覧からズームイン操作により３００文字までの本文とサムネイル画像の一覧が閲覧可能である。さらに、文書全体もアクセスが許可されているので、３００文字までの本文とサムネイル画像の一覧からズームイン操作により文書全体の一覧が閲覧可能である。なお、ズームアウト操作により文書全体の一覧から３００文字までの本文とサムネイル画像の一覧、タイトル一覧へ戻ることもできる。
【００３７】
ユーザＣのときの画面遷移を図９に示す。まず、文書タイトルはアクセスが許可されているのでタイトル一覧が閲覧可能である。そして、３００文字までの本文とサムネイル画像はアクセスが許可されていないので、タイトル一覧からズームイン操作により３００文字までの本文とサムネイル画像を閲覧しようとするとアクセス不許可の旨が報知される。報知は警告文、警告音声等であってよい。なお、ズームアウト操作によりタイトル一覧へ戻ることもできる。
【００３８】
次に、図１０に示すようにユーザのアクセス権が支払いが必要な料金と紐付けられて付与されている場合について説明する。
【００３９】
ユーザＡのときの画面遷移を図１１に示す。まず、絵画タイトルとサムネイル画像は無料でアクセスが許可されているので絵画タイトルとサムネイル画像の一覧が閲覧可能である。そして、フルサイズ絵画画像は３００円支払えばアクセスが許可されるが、ユーザＡは３００円の支払が前提となっているので、絵画タイトルとサムネイル画像の一覧からズームイン操作によりフルサイズ絵画画像の一覧が閲覧可能である。さらに、解説文は３５０円支払えばアクセスが許可されるが、ユーザＡは３００円の支払が前提となっているので、そのままでは５０円不足しており、フルサイズ絵画画像の一覧からズームイン操作により解説文付きを閲覧しようとするとアクセス不許可となり、アクセスするためには追加の５０円の支払が必要である旨が報知される。報知は警告文、警告音声等であってよい。なお、ズームアウト操作によりフルサイズ絵画画像の一覧、絵画タイトルとサムネイル画像の一覧へ戻ることもできる。
【００４０】
ユーザＢのときの画面遷移を図１２に示す。まず、絵画タイトルとサムネイル画像は無料でアクセスが許可されているので絵画タイトルとサムネイル画像の一覧が閲覧可能である。そして、フルサイズ絵画画像は３００円支払えばアクセスが許可されるが、ユーザＢは３５０円の支払が前提となっているので、絵画タイトルとサムネイル画像の一覧からズームイン操作によりフルサイズ絵画画像の一覧が閲覧可能である。さらに、解説文は３５０円支払えばアクセスが許可されるが、ユーザＢは３５０円の支払が前提となっているので、フルサイズ絵画画像の一覧からズームイン操作により解説文付きが閲覧可能である。なお、ズームアウト操作により解説文付きから、フルサイズ絵画画像の一覧、絵画タイトルとサムネイル画像の一覧へ戻ることもできる。
【００４１】
ユーザＣのときの画面遷移を図１３に示す。まず、絵画タイトルとサムネイル画像は無料でアクセスが許可されているので絵画タイトルとサムネイル画像の一覧が閲覧可能である。そして、フルサイズ絵画画像は３００円支払えばアクセスが許可されるが、ユーザＡは０円の支払が前提となっているので、そのままでは３５０円不足しており、絵画タイトルとサムネイル画像の一覧からズームイン操作によりフルサイズ絵画画像の一覧を閲覧しようとするとアクセス不許可となり、アクセスするためには追加の３５０円の支払が必要である旨が報知される。報知は警告文、警告音声等であってよい。なお、ズームアウト操作により絵画タイトルとサムネイル画像の一覧へ戻ることもできる。
【００４２】
次に、図１４に示すようにユーザのアクセス権が支払いが必要な料金と紐付けられて付与されている場合について説明する。
【００４３】
ユーザＡのときの画面遷移を図１５に示す。まず、映像情報のみは１０００円支払えばアクセスが許可されるが、ユーザＡは１５００円の支払が前提となっているので、映像情報が閲覧可能である。そして、字幕データ付は１５００円支払えばアクセスが許可されるが、ユーザＡは１５００円の支払が前提となっているので、映像情報のみからズームアウト操作により字幕データ付が閲覧可能である。さらに、字幕データ付からズームアウト操作により字幕データのみの閲覧が可能である。なお、ズームイン操作により字幕データのみから、字幕データ付、映像情報のみへ戻ることもできる。
【００４４】
ユーザＢのときの画面遷移を図１６に示す。まず、映像情報のみは１０００円支払えばアクセスが許可されるが、ユーザＢは１０００円の支払が前提となっているので、映像情報が閲覧可能である。そして、字幕データ付は１５００円支払えばアクセスが許可されるが、ユーザＢは１０００円の支払が前提となっているので、そのままでは５００円不足しており、映像情報のみからズームアウト操作により字幕データ付を閲覧しようとするとアクセス不許可となり、アクセスするためには追加の５００円の支払が必要である旨が報知される。報知は警告文、警告音声等であってよい。なお、ズームイン操作により映像情報のみへ戻ることもできる。
【００４５】
次に、図１７に示すようにユーザのアクセス権が支払いが必要な料金と紐付けられて付与されている場合について説明する。
【００４６】
ユーザＡのときの画面遷移を図１８に示す。まず、サムネイル映像情報のみは１０００円支払えばアクセスが許可されるが、ユーザＡは２０００円の支払が前提となっているので、サムネイル映像情報のみが閲覧可能である。そして、サムネイル映像情報と字幕データは追加で５００円支払えばアクセスが許可されるが、ユーザＡは２０００円の支払が前提となっているので、サムネイル映像情報のみからズームアウト操作によりサムネイル映像情報と字幕データが閲覧可能である。さらに、フルサイズ映像情報は追加で５００円支払えばアクセスが許可されるが、ユーザＡは２０００円の支払が前提となっているので、サムネイル映像情報のみからズームイン操作によりフルサイズ映像情報が閲覧可能である。なお、ズームアウト操作によりフルサイズ映像情報からサムネイル映像情報のみ、サムネイル映像情報と字幕データへ移行することができ、また、ズームイン操作によりサムネイル映像情報と字幕データから、サムネイル映像情報のみ、フルサイズ映像情報へ移行することもできる。
【００４７】
ユーザＢのときの画面遷移を図１９に示す。まず、サムネイル映像情報のみは１０００円支払えばアクセスが許可されるが、ユーザＢは１０００円の支払が前提となっているので、サムネイル映像情報のみが閲覧可能である。そして、サムネイル映像情報と字幕データは追加で５００円支払えばアクセスが許可されるが、ユーザＢは１０００円の支払が前提となっているので、そのままでは５００円不足しており、サムネイル映像情報のみからズームアウト操作によりサムネイル映像情報と字幕データを閲覧しようとするとアクセス不許可となり、アクセスするためには追加の５００円の支払が必要である旨が報知される。報知は警告文、警告音声等であってよい。なお、ズームイン操作によりサムネイル映像情報のみへ戻ることもできる。また、フルサイズ映像情報は追加で５００円支払えばアクセスが許可されるが、ユーザＢは１０００円の支払が前提となっているので、そのままでは５００円不足しており、サムネイル映像情報のみからズームイン操作によりフルサイズ映像情報を閲覧しようとするとアクセス不許可となり、アクセスするためには追加の５００円の支払が必要である旨が報知される。報知は警告文、警告音声等であってよい。なお、ズームアウト操作によりサムネイル映像情報のみへ戻ることもできる。
【００４８】
次に、図２０に示すようにユーザのアクセス権が付与されている場合について図２１を参照して説明する。
【００４９】
ユーザＡの文書１のときは、まず、文書タイトルはアクセスが許可されているのでタイトル一覧が閲覧可能である。そして、３００文字までの本文とサムネイル画像もアクセスが許可されているのでタイトル一覧からズームイン操作により３００文字までの本文とサムネイル画像の一覧が閲覧可能である。さらに、文書全体はアクセスが許可されていないので、３００文字までの本文とサムネイル画像の一覧からズームイン操作により文書全体を閲覧しようとするとアクセス不許可の旨が報知される。報知は警告文、警告音声等であってよい。なお、ズームアウト操作により３００文字までの本文とサムネイル画像の一覧、タイトル一覧へ戻ることもできる。
【００５０】
ユーザＡの文書２のときは、まず、文書タイトルはアクセスが許可されているのでタイトル一覧が閲覧可能である。そして、３００文字までの本文とサムネイル画像もアクセスが許可されているのでタイトル一覧からズームイン操作により３００文字までの本文とサムネイル画像の一覧が閲覧可能である。さらに、文書全体もアクセスが許可されているので、３００文字までの本文とサムネイル画像の一覧からズームイン操作により文書全体の一覧が閲覧可能である。なお、ズームアウト操作により文書全体の一覧から３００文字までの本文とサムネイル画像の一覧、タイトル一覧へ戻ることもできる。
【００５１】
ユーザＡの文書３のときは、まず、文書タイトルはアクセスが許可されているのでタイトル一覧が閲覧可能である。そして、３００文字までの本文とサムネイル画像はアクセスが許可されていないので、タイトル一覧からズームイン操作により３００文字までの本文とサムネイル画像を閲覧しようとするとアクセス不許可の旨が報知される。報知は警告文、警告音声等であってよい。なお、ズームアウト操作によりタイトル一覧へ戻ることもできる。
【００５２】
さらに、図５に示すようにユーザのアクセス権がユーザの属性に基づいて付与されている場合等であっても上述した各実施例と同様に適用可能である。
【００５３】
また、アクセス不許可の旨が報知されるタイミングで、推奨アクションを報知したり、該当するコンテンツをズームアウトして表示してもよい。
【００５４】
なお、上述する実施の形態は、本発明の好適な実施の形態であり、本発明の要旨を逸脱しない範囲内において種々変更実施が可能である。例えば、サーバ１、クライアント端末Ｃの機能を実現するためのプログラムを各装置に実行させることにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００５５】
【図１】本発明の実施形態のＷｅｂ環境でのコンテンツ閲覧における画面遷移の概要を簡単な具体例で表現した説明図である。
【図２】本発明の実施形態のシステム構成図である。
【図３】本発明の実施形態のサーバの構成を示すブロック図である。
【図４】本発明の実施形態のユーザ情報を格納したテーブルである。
【図５】本発明の実施形態のユーザのアクセス権が付与されている場合を示す一例である。
【図６】本発明の実施形態のユーザのアクセス権が付与されている場合を示す一例である。
【図７】本発明の実施形態の画面遷移の一例を示す図である。
【図８】本発明の実施形態の画面遷移の一例を示す図である。
【図９】本発明の実施形態の画面遷移の一例を示す図である。
【図１０】本発明の実施形態のユーザのアクセス権が付与されている場合を示す一例である。
【図１１】本発明の実施形態の画面遷移の一例を示す図である。
【図１２】本発明の実施形態の画面遷移の一例を示す図である。
【図１３】本発明の実施形態の画面遷移の一例を示す図である。
【図１４】本発明の実施形態のユーザのアクセス権が付与されている場合を示す一例である。
【図１５】本発明の実施形態の画面遷移の一例を示す図である。
【図１６】本発明の実施形態の画面遷移の一例を示す図である。
【図１７】本発明の実施形態のユーザのアクセス権が付与されている場合を示す一例である。
【図１８】本発明の実施形態の画面遷移の一例を示す図である。
【図１９】本発明の実施形態の画面遷移の一例を示す図である。
【図２０】本発明の実施形態のユーザのアクセス権が付与されている場合を示す一例である。
【図２１】本発明の実施形態の画面遷移の一例を示す図である。
【符号の説明】
【００５６】
１    サーバ
Ｃ    クライアント端末
【図１】
2008234228.tif 000003
【図２】
2008234228.tif 000004
【図３】
2008234228.tif 000005
【図４】
2008234228.tif 000006
【図５】
2008234228.tif 000007
【図６】
2008234228.tif 000008
【図７】
2008234228.tif 000009
【図８】
2008234228.tif 000010
【図９】
2008234228.tif 000011
【図１０】
2008234228.tif 000012
【図１１】
2008234228.tif 000013
【図１２】
2008234228.tif 000014
【図１３】
2008234228.tif 000015
【図１４】
2008234228.tif 000016
【図１５】
2008234228.tif 000017
【図１６】
2008234228.tif 000018
【図１７】
2008234228.tif 000019
【図１８】
2008234228.tif 000020
【図１９】
2008234228.tif 000021
【図２０】
2008234228.tif 000022
【図２１】
2008234228.tif 000023